(57)【要約】【課題】例えばコーヒー豆の粉を保管のために別の缶に入れ替える必要がなく、袋の製造が複雑にならず、透明袋でも逆止弁がわかりにくく、逆止弁によって袋表面のデザイン上の制約を受けない密閉容器およびキャップを提供する。【解決手段】内容物を充填または取り出すためのキャップ１付き口２を有する密閉の袋３であって、キャップ１は通気孔５を有し、通気孔５を通して外部から空気が侵入するのを防止する逆止弁６をキャップ１の内側に設けている。通気孔５はキャップ１の天部１ｃに形成され、逆止弁６は略円盤形の外形を有して天部１ｃに当接され、天部１ｃは逆止弁６の周縁を係止する係止部７を突設している。係止部７は、キャップ１を口２に閉じたとき逆止弁６の周縁に係止する方向に口２の縁部２ｃにより押圧される。【選択図】  図１
2004149173.tif 000002
【特許請求の範囲】
【請求項１】
内容物を充填または取り出すためのキャップ付き口を有する密閉容器であって、前記キャップは通気孔を有し、前記通気孔を通して外部から空気が侵入するのを防止する逆止弁を前記キャップの内側に設けたことを特徴とする密閉容器。
【請求項２】
前記通気孔は前記キャップの天部に形成され、前記逆止弁は略円盤形の外形を有して前記天部に当接され、前記天部は前記逆止弁の周縁を係止する係止部を突設している請求項１記載の密閉容器。
【請求項３】
前記係止部は、前記キャップを前記口に閉じたとき前記逆止弁の周縁に係止する方向に前記口の縁部により押圧される請求項２記載の密閉容器。
【請求項４】
密閉容器の口を開閉可能に密閉するキャップであって、天部に通気孔を形成し、前記通気孔を通して外部から空気が侵入するのを防止する逆止弁を前記キャップの内側に設けたことを特徴とするキャップ。
【発明の詳細な説明】
【０００１】
【発明の属する技術分野】
この発明は、例えばコーヒー豆の粉や、生みそなどのガスを発生する内容物を密閉するとともに、ガスを外部に逃すことができる密閉容器およびキャップに関するものである。
【０００２】
【従来の技術】
例えばコーヒー豆の粉は密閉した袋などの容器に充填して保存しているが、粉から炭酸ガスが発生し袋が膨れるのを防止するため、袋に逆止弁を設けていた。また袋内の過剰の空気を外部に追い出すため、例えば特許文献のように、袋に逆止弁を設けたものがあった。
【０００３】
【特許文献】
特開平２−３２９９２号公報
【０００４】
【発明が解決しようとする課題】
しかしながら、袋口は熱シールで密閉したものであるため、袋口を開けて消費者が例えばコーヒーの粉の一部を使用すると、残りの保管は別の缶等に入れ替えなければならないという不便さがあった。また袋の表面に孔を形成し、その内面に逆止弁を密着しているため、袋の製造工程が複雑になった。さらに袋の表面に逆止弁を設けるため、透明な袋の場合、逆止弁の外観を考慮する必要があり、内容物を表すための袋表面のデザイン上の制約を受け、さらには逆止弁が取り外されやすいという課題があった。
【０００５】
したがって、この発明の目的は、例えばコーヒー豆の粉を保管のために別の缶に入れ替える必要がなく、保管する袋の製造が複雑にならず、透明袋でも逆止弁がわかりにくく、逆止弁によって袋表面のデザイン上の制約を受けない密閉容器キャップを提供することである。
【０００６】
【課題を解決するための手段】
請求項１記載の密閉容器は、内容物を充填または取り出すためのキャップ付き口を有する密閉容器であって、前記キャップは通気孔を有し、前記通気孔を通して外部から空気が侵入するのを防止する逆止弁を前記キャップの内側に設けたことを特徴とするものである。
【０００７】
請求項１記載の密閉容器によれば、内容物から例えば炭酸ガスが発生して袋が膨れても逆止弁を通して容易に外部に排気させることができる。この場合、逆止弁をキャップの内側に設けたため、内容物の一部の取り出しや残りの保存はキャップの開閉によって可能であり、従来のように缶等に入れ替える必要がない。また袋の製造工程が複雑にならず、袋が透明袋であっても袋の表面から逆止弁が見えないので、袋表面のデザインが制約を受けず、逆止弁が取り外されるおそれもない。さらに密閉容器の加工が不要であり、キャップを、逆止弁のついていない既存のコーヒー袋等のキャップに代えて使用することができる。
【０００８】
請求項２記載の密閉容器は、請求項１において、前記通気孔が前記キャップの天部に形成され、前記逆止弁は略円盤形の外形を有して前記天部に当接され、前記天部は前記逆止弁の周縁を係止する係止部を突設しているものである。
【０００９】
請求項２記載の密閉容器によれば、請求項１と同様な効果のほか、キャップが大型化することなく逆止弁の取付けが容易になるとともに、キャップに係止部を設けるだけのため構造が簡単である。
【００１０】
請求項３記載の密閉容器は、請求項２において、前記係止部が、前記キャップを前記口に閉じたとき前記逆止弁の周縁に係止する方向に前記口の縁部により押圧されるものである。
【００１１】
請求項３記載の密閉容器によれば、請求項２と同様な効果のほか、逆止弁を係止部に係止しやすくできしかも口の縁部により係止部を逆止弁に確実に係止することができる。
【００１２】
請求項４記載のキャップは、密閉容器の口を開閉可能に密閉するキャップであって、天部に通気孔を形成し、前記通気孔を通して外部から空気が侵入するのを防止する逆止弁を前記キャップの内側に設けたことを特徴とするものである。
【００１３】
請求項４記載のキャップによれば、請求項１と同様な効果がある。
【００１４】
【発明の実施の形態】
この発明の一実施の形態を図１から図７により説明する。すなわち、この密閉容器は、コーヒー豆の粉等の内容物（図示せず）を充填または取り出すためのキャップ１付き口２を有するものである。実施の形態の密閉容器は合成樹脂製の袋３であって、袋口のみを残して周縁を熱シールしてあり、キャップ１付き口２は袋３と別体に形成され、袋３の袋口に口２を融着して取付けている。袋３の底部３ａは内容物を充填したとき底部が例えば略円形に拡がるように形を付けておき、袋のスタンド性を出している。
【００１５】
口２は合成樹脂の例えば高密度ポリエチレンによりほぼ円筒状に形成され、下端部の両側より袋３の袋口に融着するための略三角形状の突出部１０を形成し、上端部の外周に雄ねじ２ａを形成している。２ｂはキャップ１が雄ねじ２ａにねじ合わされたときの下端縁に対向するつば、２ｃは口２の縁部である。
【００１６】
キャップ１は通気孔５を有し、通気孔５を通して外部から空気が侵入するのを防止する逆止弁６をキャップ１の内面に設けている。キャップ１は合成樹脂の例えばポリプロピレンにより形成され、外周面に滑り止めとなるローレット１ａを形成し、内周面に雄ねじ２ａに螺合する雌ねじ１ｂを形成し、通気孔５は天部１ｃの中央に形成している。
【００１７】
逆止弁６は略円盤形の外形を有し、キャップ１は逆止弁６の周縁を係止する係止部７を有する。この場合、係止部７は逆止弁６をキャップ１の内側から天部１ｃに当接した状態に係止する。実施の形態では、係止部６が略円筒形状でキャップ１の天部１ｃの通気孔５と同心で垂下するよう突設し、その先端を肉薄に形成し、その内周面に逆止弁６のつば６ｃがキャップ１の天部１ｃに当接した状態に係止する突部７ａを例えば断面略半円弧状に形成している。そして係止部７の外径は口２の縁部２ｃの内径より若干大きい程度に形成し、キャップ１をねじ込んで口２の縁部２ｃが係止部７の先端に係合するとき縁部２ｃの内周面で係止部７の先端の外周を中心に向けて押圧する。これにより係止部７は係止する方向すなわち通気孔５の方向に押され逆止弁６のつば６ｃが係止部７から外れにくくなるとともに、突部７ａで逆止弁６のつば６ｃの下面をキャップ１の天部１ｃに押し付けている。なお、係止部７の円筒部分に縦方向に割をつけたり、あるいは係止部７を逆止弁６の周辺に係止する複数の分割片により形成すると中心方向に傾倒しやすい。
【００１８】
逆止弁６はその外形をなす本体６ａが高さの低い有底円筒形であり、かつ底部に複数の小孔６ｂを形成し、上端部の外周につば６ｃを形成し、内周に突部６ｄを形成している。本体６ａの底部には小孔６ｂを覆うように柔軟性のフィルム８を重ね、さらに押さえ部材９をフィルム８に重なるように本体６ａ内にはめ込み、突部６ｄに抜け止め係止している。フィルム８にはオイルなど多少粘性がありかつ非乾燥性の流体を表面に付着し、本体６ａの天部１ｃとの密着性を高めている。押さえ部材９は円板の両側に切欠き９ａを形成し、その間を横切るように複数のリブを形成しており、切欠き９ａの部分にフィルム８が浮いて開弁動作できるようにしている。すなわち、フィルム８の押さえ部材９側の圧力が本体６ａの小孔６ｂを通した外側より高いときはフィルム８は本体６ａの内底面に密着して空気の通過を阻止し、反対に本体６ａの外側のほうが高いときはフィルム８を押さえ部材９に向けて押し、切欠き９ａの部分を浮かせて内部ガスを通過させ、これにより逆止動作が行われる。
【００１９】
なお、この発明において、逆止弁６の形状は上記以外のものも使用することができる。また逆止弁６を軸方向にキャップ１に押しつけるように押圧部を口２の縁部２ｃに設けてもよい。この場合、係止部７はキャップ１の内周面に形成し、逆止弁６のつば６ｃをキャップ１の内周面の内径程度まで大きくしてもよい。
【００２０】
またキャップ１と口２との結合手段としてねじ以外の構成でもよく、さらに密閉容器は袋に限らない。
【００２１】
【発明の効果】
請求項１記載の密閉容器によれば、内容物から例えば炭酸ガスが発生して袋が膨れても逆止弁を通して容易に外部に排気させることができる。この場合、逆止弁をキャップの内側に設けたため、内容物の一部の取り出しや残りの保存はキャップの開閉によって可能であり、従来のように缶等に入れ替える必要がない。また袋の製造工程が複雑にならず、袋が透明袋であっても袋の表面から逆止弁が見えないので、袋表面のデザインが制約を受けず、逆止弁が取り外されるおそれもない。さらに密閉容器の加工が不要であり、キャップを、逆止弁のついていない既存のコーヒー袋等のキャップに代えて使用することができる。
【００２２】
請求項２記載の密閉容器によれば、請求項１と同様な効果のほか、キャップが大型化することなく逆止弁の取付けが容易になるとともに、キャップに係止部を設けるだけのため構造が簡単である。
【００２３】
請求項３記載の密閉容器によれば、請求項２と同様な効果のほか、逆止弁を係止部に係止しやすくできしかも口の縁部により係止部を逆止弁に確実に係止することができる。
【００２４】
請求項４記載のキャップによれば、請求項１と同様な効果がある。
【図面の簡単な説明】
【図１】この発明の一の実施の形態の袋の口にキャップを被せた状態の半断面図である。
【図２】その平面図である。
【図３】袋の全体の斜視図である。
【図４】キャップの半断面図である。
【図５】袋の口を示し、その右半分が半正面図、左半分が左側からみた半断面図である。
【図６】口の底面図である。
【図７】逆止弁の分解斜視図である。
【符号の説明】
１    キャップ
１ｃ    天部
２    口
３    袋
５    通気孔
６    逆止弁
７    係止部
【図１】
2004149173.tif 000003
【図２】
2004149173.tif 000004
【図３】
2004149173.tif 000005
【図４】
2004149173.tif 000006
【図５】
2004149173.tif 000007
【図６】
2004149173.tif 000008
【図７】
2004149173.tif 000009